(57)【要約】【課題】  各種装置をまとめて配置することにより雑然とした印象を与えることのない島台を提供する。【解決手段】  遊技玉を借り受けるための各種の操作部１４、１６、１７、１９と、返却玉情報、獲得玉情報、遊技内容に関する情報、テレビ画像情報の何れかを含む情報を表示し得る情報表示装置２３とを操作表示領域１２の一箇所にまとめて配置したので、ユニット島台１の雑然とした印象を抑制することができる。【選択図】        図２
2004154605.tif 000002
【特許請求の範囲】
【請求項１】
遊技機の主要構成部品が具備され且つ島台を構成する枠主体であって、
該枠主体には、遊技玉を借り受けるための各種の操作部を備えた操作表示領域を設け、その操作表示領域に返却玉情報、獲得玉情報、遊技内容に関する情報、テレビ画像情報の何れかを含む情報を表示し得る情報表示装置を設け、
該情報表示装置は、前記遊技機の一側側方にその表示画面が遊技者側に向くように前記遊技機の表示窓よりも前方に突出して設けられていることを特徴とする遊技機用枠主体。
【発明の詳細な説明】
【技術分野】
【０００１】
本発明は、遊技機の主要構成部品が具備され且つ島台を構成する枠主体に関するものである。
【背景技術】
【０００２】
従来の島台においては、遊技機であるパチンコ遊技機の側方に玉貸機を配置し、また、島台の上方に変動表示装置の変動回数や大当り回数等の遊技に関する情報を表示する表示装置が設けられていた。即ち、玉貸機と表示装置が離れて配置されていた。
【発明の開示】
【発明が解決しようとする課題】
【０００３】
このため、島台に設けられる各種装置が離れた位置に雑然と配置された印象を与えていた。本発明は、上記した事情に鑑みなされたもので、その目的とするところは、各種装置をまとめて配置することにより雑然とした印象を与えることのない島台を提供することにある。
【課題を解決するための手段】
【０００４】
上記した目的を達成するために、本発明においては、
遊技機の主要構成部品が具備され且つ島台を構成する枠主体であって、
該枠主体には、遊技玉を借り受けるための各種の操作部を備えた操作表示領域を設け、その操作表示領域に返却玉情報、獲得玉情報、遊技内容に関する情報、テレビ画像情報の何れかを含む情報を表示し得る情報表示装置を設け、
該情報表示装置は、前記遊技機の一側側方にその表示画面が遊技者側に向くように前記遊技機の表示窓よりも前方に突出して設けられていることを特徴とするものである。
【発明の効果】
【０００５】
遊技玉を借り受けるための各種の操作部と、返却玉情報、獲得玉情報、遊技内容に関する情報、テレビ画像情報の何れかを含む情報を表示し得る情報表示装置とを操作表示領域の一箇所にまとめて配置したので、島台の雑然とした印象を抑制することができる。
【発明を実施するための最良の形態】
【０００６】
以下、図面を参照して本発明の実施形態について説明する。まず、図２を参照して本実施形態の要部を構成する単独遊技機用ユニット島台１（以下、ユニット島台という）の構成について説明する。図２は、ユニット島台１の斜視図である。図において、ユニット島台１は、パチンコ遊技機の主要構成部品が具備される枠主体２と該枠主体２の上部に載置固定される上部枠体３とから構成され、全体的に縦長なボックス状に形成されるものである。上部枠体３の前面中央には、呼出ランプ４が設けられ、該呼出ランプ４の周囲に賞球預り表示灯５が設けられ、下部に照明具７が設けられている。呼出ランプ４は、遊技機にトラブルが生じて後述する呼出ボタン２０が操作されたときに点灯してその旨を報知するばかりでなく、遊技において大当りとなったとき、不正遊技（磁石使用や扉開放等）が行われたときに異なる態様で表示駆動されてその旨を報知するものである。また、賞球預り表示灯５は、本実施形態において後述する上皿１１から溢れた賞球が自動的に返却されるようになっているが、その返却された賞球量に応じて順次点灯するもので、いわば入賞率を表示するものである。更に、照明具７は、枠主体２の前面を照明するものである。上部枠体３には、上記した構成以外にその上部側面に島端表示灯６が設けられ、連結して島端となった側の表示灯６が前記呼出ランプ４と同じ表示態様で表示駆動されてそれぞれの状態を主として遊技場の店員に報知するものである。
【０００７】
一方、枠主体２の上部には、ほぼ正方形状の表示窓８が形成され、該表示窓８の後方に遊技盤９が配置されるようになっている。この遊技盤９は、枠主体２に対してその裏側から着脱交換自在に装着し得るようになっており、遊技盤９（遊技動作を制御するコントロール基板を含む）を交換することにより新規な遊技を楽しむことができる。また、表示窓８の周囲の全部又は一部には、遊技盤９の表面を照明する照明具１０が設けられている。更に、詳細に図示しないが表示窓には、ガラス扉が開閉自在に設けられている。また、表示窓８の下部には、払い出された賞球を貯留し且つ打球として発射位置に供給する上皿１１が形成されている。この上皿１１に賞球が一杯となったときには、裏側で賞球を溢れさせて自動的に返却させるようになっているが、溢れる際に計数記憶され、その記憶値に基づいて前記賞球預り表示灯５が点灯されると共に後述する情報表示装置２３にも返却数が表示されるようになっている。また、上皿１１には、打球として供給すべき残り玉が少なくなってきたときに上記預り玉が記憶されていれば、その預り玉から自動的に所定個数ずつ払い戻す動作を行わせるため、残量センサも設けられている。
【０００８】
また、枠主体２の中程は、前記表示窓８よりも全体的に突出して形成され、その突出した部分が操作表示領域１２となっている。この操作表示領域１２の具体的な構成について説明すると、まず、その右側には、打球を発射させる際に操作する操作ハンドル１３が設けられている。この操作ハンドル１３は、前後方向に伸縮自在となっており、使用しないときには、押し込んでおくことにより掃除や通行の邪魔にならないようになっている。また、操作ハンドル１３の側方には、貸玉カードを挿入するカード投入口１４、プリンター１５、硬貨投入口１６、紙幣投入口１７、両替紙幣返却口１８、玉貸ボタン１９、呼出ボタン２０、精算ボタン２１が設けられている。カード投入口１４に貸玉カード（プリペイドカード）を投入して玉貸ボタン１９を操作することにより所定個数の遊技玉が前記上皿１１に自動的に払い出される。同様に硬貨投入口１６及び紙幣投入口１７に硬貨又は紙幣を投入したときに投入額（１００円，５００円，千円）に応じた遊技玉が上皿１１に自動的に払い出される。ただし、高額紙幣（例えば、５千円，１万円）が投入された場合には、両替紙幣返却口１８から両替された残余の紙幣が返却される。また、精算ボタン２１は、遊技を終了したいときに操作することにより、前記上皿１１に貯留されている打玉が返却計数された後、既に返却記憶されている玉数と合計され、その合計数値を記載したカード又はレシートが前記プリンター１５によって発行される。
【０００９】
更に、操作表示領域１２の左側には、効果音や情報を音声で報知するスピーカ２２と、各種の情報を報知する情報表示装置２３（ＴＶ）とが設けられている。情報表示装置２３は、上記した返却玉情報や精算ボタン２１操作時の獲得玉情報、あるいは遊技内容に関する情報等を表示し得るようになっている。また、操作表示領域１２の下方部は、カウンター板状になっており、その一部に灰皿２４が設けられている。
【００１０】
また、枠主体２の下部は、空間となっており、一部が物置部２５として利用され、その他が脚置部２６として利用されている。
【００１１】
ユニット島台１の前面構成は、上記した通りであるが、その内部構成は、図示省略するも、当該ユニット島台１で使用するパチンコ玉を貯留する下部貯留タンクと、該下部貯留タンクに貯留されたパチンコ玉を研磨しながら揚送する玉磨揚送駆動装置２７（図３に示す）と、玉磨揚送駆動装置２７によって揚送された玉を貯留する賞球タンク、入賞信号及び貸玉信号に基づいて所定個数の賞球又は貸玉を払い出す払出装置や入賞玉・アウト玉の計数装置等を含むパチンコ機駆動部２８（図３に示す）等が設けられている。そして、パチンコ玉は、ユニット島台１を循環して使用されるようになっている。
【００１２】
１台のユニット島台１の構成は、概ね上記したとおりであるが、これらを複数台連結して使用する場合には、図１に示すように、主体管理装置３０となるユニット島台１と、補助装置３１，３２となるユニット島台１とに分けることができる。主体管理装置３０となるユニット島台１と補助装置３１，３２となるユニット島台１との相違点は、図３に示すように、主体管理装置３０となるユニット島台１には、駆動管理制御部３３が設けられるのに対し、補助装置３１，３２となるユニット島台１には、駆動管理制御部３３が設けられない点である。つまり、主体管理装置３０と補助装置３１，３２とは、外観及び具備する機器や装置は、何ら変わらないが、それらを駆動管理制御する駆動管理制御部３３があるかないかだけの相違である。そして、主体管理装置３０のユニット島台１に具備される機器や装置は、当然のことながら駆動管理制御部３３によって駆動管理制御されるが、補助装置３１，３２のユニット島台１に具備される機器や装置も主体管理装置３０内の駆動管理制御部３３によって駆動管理制御される。したがって、主体管理装置３０となるユニット島台１と補助装置３１，３２となるユニット島台１とを連結した場合には、駆動管理制御部３３と補助装置３１，３２のユニット島台１に具備される機器及び装置とを電気的に接続する必要があるが、これらは、例えば、接続端子板を所定位置に設け、連結した際に接続端子板同士を配線で接続することにより簡単に行うことができる。
【００１３】
なお、駆動管理制御部３３は、本実施形態の場合、マイクロコンピュータ３４とセーフ（入賞）・アウト計数演算部３５、玉貸機における硬貨紙幣判別計数手段３６、玉返却読取手段３７とから構成されており、主体管理装置３０のユニット島台１と補助装置３１，３２のユニット島台１の機器及び装置からの信号を受けて演算処理し、所定の駆動信号をそれぞれ送るものである。なお、駆動管理制御部３３には、遊技場に設けられる集中管理コンピュータ（図示しない）に各種のデータ信号を送信したり、あるいは逆に集中管理コンピュータからの指令を受信したりするために配線が接続されるようになっている。
【００１４】
以上、実施形態に係るパチンコ島台について説明してきたが、本実施形態によれば、遊技盤９を除く機器や装置がユニット島台１に設けられているので、遊技盤９だけをユニット島台１に取り付けることにより遊技を行うことができ、以後遊技盤９だけを交換して新規な遊技を楽しむことができるのでトータルとしてのコストを低減することができる。また、複数台を連結して使用する場合において、任意の単独遊技機用ユニット島台１を主体管理装置３０とし、他の単独遊技機用ユニット島台１を補助装置３１，３２とし、主体管理装置３０には、自己の単独遊技機用ユニット島台１に設けられる機器及び装置を駆動管理制御すると共に補助装置３１，３２の単独遊技機用ユニット島台１に設けられる機器及び装置を駆動管理制御する駆動管理制御部３３を設けたので、個々のユニット島台に駆動管理制御部を設ける場合に比較してコストを低減することができるばかりでなく保守管理も容易となり、更に、主体管理装置３０と補助装置３１，３２との組合せによって単独使用から小型遊技場や大型遊技場にも容易に対応することができ、その設計の自由度が極めて高くなる。また、本実施形態においては、遊技玉を借り受けるための各種の操作部１４、１６、１７、１９と遊技内容に関する情報を表示し得る情報表示装置２３とを操作表示領域１２の一箇所にまとめて配置したので、ユニット島台１の雑然とした印象を抑制することができる。
【００１５】
なお、上記した実施形態では、１つの主体管理装置３０によって２つの補助装置３１，３２を管理するものを示したが、１つの主体管理装置３０によって管理できる補助装置の数は、任意に設計すれば良い。また、ユニット島台１に設けられる機器及び装置は、図示のものに限らず、少なくとも遊技盤を取り付けたときにパチンコ遊技機として機能するための最低限の機器及び装置を備えていれば良い。また、上記実施形態では、ユニット島台１に設置されるパチンコ遊技機１０を１台のものを示したが、２台設置できるように枠組み構成した単独遊技機用ユニット島台として構成しても良い。
【図面の簡単な説明】
【００１６】
【図１】実施形態に係る単独遊技機用ユニット島台を複数個連結した状態を示す斜視図である。
【図２】単独遊技機用ユニット島台の斜視図である。
【図３】主体管理装置と補助装置との関係を示す概略ブロック図である。
【符号の説明】
【００１７】
１  単独遊技機用ユニット島台
２  枠主体
３  上部枠体
４  呼出ランプ
５  賞球預り表示灯
７  照明具
８  表示窓
９  遊技盤
１０  照明具
１１  上皿
１２  操作表示領域
１３  操作ハンドル
１４  カード投入口
１５  プリンター
１９  玉貸ボタン
２０  呼出ボタン
２１  精算ボタン
２２  スピーカ
２３  情報表示ＴＶ装置
２７  玉磨揚送駆動装置
２８  パチンコ機駆動部
３０  主体管理装置
３１  補助装置
３２  補助装置
３３  駆動管理制御部
【図１】
2004154605.tif 000003
【図２】
2004154605.tif 000004
【図３】
2004154605.tif 000005